(57)【要約】      （修正有）【課題】調光制御装置及び遠隔操作装置を備えた照明装置の無線式調光制御システムにおいて、遠隔操作装置の省電力化による電池寿命の延長及び調光信号の送受信に特定小電力無線通信方式の規格（ＳＴＤ−Ｔ６７など）の使用を可能にする。【解決手段】遠隔操作装置の信号発生部は、ユーザにより操作部が第１操作Ｍ１をされたときに、調光制御を開始する第１調光信号Ｓ１を発生し、送信部は、第１所定時間Ｔ１だけ第１調光信号Ｓ１を変調して送信し、調光制御装置の調光制御部は、受信部が第１調光信号Ｓ１を受信すると、照明装置の調光レベルを連続的に高く又は低くするように調光制御を開始し、操作部が第２操作Ｍ２をされたときに、調光制御を終了する第２調光信号Ｓ２を発生し、送信部は、第１所定時間Ｔ１だけ第２調光信号Ｓ２を変調して送信する。【選択図】図３
2009238530.tif 000002
【特許請求の範囲】
【請求項１】
ユーザにより操作される操作部と、前記操作部が操作されたときに、所定の調光信号を発生させる信号発生部と、前記所定の調光信号を送信する送信部を備えた遠隔操作装置と、
前記送信部から送信された所定の調光信号を受信する受信部と、受信した調光信号に応じて調光制御を行う調光制御部とを備えた調光制御装置を含む照明装置の無線式調光制御システムであって、
前記信号発生部は、ユーザにより前記操作部が第１操作をされたときに、調光制御を開始する第１調光信号を発生し、
前記送信部は、前記信号発生部により第１調光信号が発生されると、第１所定時間だけ前記第１調光信号を変調して送信し、
前記調光制御部は、前記受信部が前記第１調光信号を受信すると、照明装置の調光レベルを連続的に高く又は低くするように調光制御を開始し、
前記信号発生部は、ユーザにより前記操作部が第２操作をされたときに、調光制御を終了する第２調光信号を発生し、
前記送信部は、前記信号発生部により第２調光信号が発生されると、前記第１所定時間だけ前記第２調光信号を変調して送信し、
前記調光制御部は、前記受信部が前記第２調光信号を受信すると、調光制御を停止して、その時点における調光レベルを維持することを特徴とする無線式調光制御システム。
【請求項２】
前記信号発生部は、前記第１操作されてからの第１操作の継続時間が第２所定時間を経過した時点で第１操作が行われたと判断することを特徴とする請求項１に記載の無線式調光制御システム。
【請求項３】
前記信号発生部は、前記第２操作が行われた後、再度前記第１操作が行われるまでの時間に応じて、前記第２所定時間を可変とすることを特徴とする請求項２に記載の無線式調光制御システム。
【請求項４】
前記第１操作されてからの第１操作の継続時間が第２所定時間よりも短い第３所定時間よりもさらに短い場合、前記信号発生部は、前記第１調光信号以外の信号を発生することを特徴とする請求項２に記載の無線式調光制御システム。
【請求項５】
前記第１操作は、単一の所定のスイッチをオンさせる操作であり、前記第２操作は、前記スイッチをオフさせる操作であることを特徴とする請求項１乃至４のいずれか一項に記載の無線式調光制御システム。
【請求項６】
前記第１操作は、第１操作部材の操作であり、前記第２操作は、前記第１操作部材とは異なる第２操作部材の操作であることを特徴とする請求項１乃至４のいずれか一項に記載の無線式調光制御システム。
【発明の詳細な説明】
【技術分野】
【０００１】
本発明は、赤外線や特定小電力無線通信方式を用いた照明装置の無線式調光制御システムに関する。
【背景技術】
【０００２】
従来から、遠隔操作装置を操作して照明装置の明るさを制御する無線式調光制御システムが実用化されている（特許文献１参照）。従来の無線式調光制御システムについて、図８を参照しつつ説明する。照明装置の調光レベルは、レベル１からレベル６までの６段階に調光可能であるとする。調光レベルがレベル１に設定されており、調光レベルを高くしようとする場合、ユーザは、遠隔操作装置に設けられている調光アップボタン（例えば、△ボタン）を操作する。遠隔操作装置は、ユーザが調光アップボタンを連続して押し続けている間、一定の間隔で所定の調光信号（調光アップ信号）を出力する。あるいは、ユーザが調光アップボタンを押している時間が所定の時間よりも短い場合は、ユーザが一度調光アップボタンを操作するたびに、１つずつ所定の調光信号を出力する。
【０００３】
照明装置では、受信部が遠隔操作装置からの調光アップ信号を受信するたびに、制御部は調光レベルを１段階ずつ高くする。ユーザは、自分の好みの調光レベル（明るさ）に到達した時点で、調光アップボタンの操作を停止する。照明装置の制御部は、遠隔操作装置からの新たな調光信号を受信するまで、そのときの調光レベルを記憶し、維持する。調光レベルを低くしようとする場合は、遠隔操作装置に設けられている調光ダウンボタン（例えば、▽ボタン）を操作すればよく、遠隔操作装置及び照明装置における動作は同様である。
【０００４】
従来の無線式調光制御システムでは、一般的に赤外線を用いて所定の調光信号を送信しており、１つの調光信号を送信する際、一定時間赤外線ＬＥＤが点灯し続けている。そして、１階の調光動作の際に送信される調光信号の数が多いため、ＬＥＤによる消費電力が大きく、遠隔操作装置の電池の寿命が短いという問題を有していた。
【０００５】
また、赤外線を用いた無線式調光制御システムでは、遠隔操作装置のＬＥＤ発光部と照明装置の受信部との間に障害物が存在すると、調光信号が正しく送受信されないという問題点を有していた。そのため、近年、特定小電力無線通信方式の規格（ＳＴＤ−Ｔ６７など）を用いた電波による無線式調光制御システムも提案されている。ところが、例えばＳＴＤ−Ｔ６７によれば、信号送信時間は５秒以内であり、その後必ず２秒間信号送信してはならないという規定が存在するため、調光動作を５秒以内に終了させる必要がある。ところが、ユーザによって、遠隔操作装置の調光アップボタン又は調光ダウンボタンの操作は様々であり、調光動作を５秒以内に終了させられない場合もありうる。
【特許文献１】特開平５−７６０６４号公報
【発明の開示】
【発明が解決しようとする課題】
【０００６】
本発明は、上記従来例の問題を解決するためになされたものであり、遠隔操作装置の省電力化による電池寿命の延長及び調光信号の送受信に特定小電力無線通信方式の規格（ＳＴＤ−Ｔ６７など）の使用を可能にする無線式調光制御システムを提供することを目的とする。
【課題を解決するための手段】
【０００７】
上記目的を達成するために請求項１の発明は、
ユーザにより操作される操作部と、前記操作部が操作されたときに、所定の調光信号を発生させる信号発生部と、前記所定の調光信号を送信する送信部を備えた遠隔操作装置と、
前記送信部から送信された所定の調光信号を受信する受信部と、受信した調光信号に応じて調光制御を行う調光制御部とを備えた調光制御装置を含む照明装置の無線式調光制御システムであって、
前記信号発生部は、ユーザにより前記操作部が第１操作をされたときに、調光制御を開始する第１調光信号を発生し、
前記送信部は、前記信号発生部により第１調光信号が発生されると、第１所定時間だけ前記第１調光信号を変調して送信し、
前記調光制御部は、前記受信部が前記第１調光信号を受信すると、照明装置の調光レベルを連続的に高く又は低くするように調光制御を開始し、
前記信号発生部は、ユーザにより前記操作部が第２操作をされたときに、調光制御を終了する第２調光信号を発生し、
前記送信部は、前記信号発生部により第２調光信号が発生されると、前記第１所定時間だけ前記第２調光信号を変調して送信し、
前記調光制御部は、前記受信部が前記第２調光信号を受信すると、調光制御を停止して、その時点における調光レベルを維持することを特徴とする。
【０００８】
請求項２の発明は、請求項１に記載の無線式調光制御システムにおいて、前記信号発生部は、前記第１操作されてからの第１操作の継続時間が第２所定時間を経過した時点で第１操作が行われたと判断することを特徴とする。
【０００９】
請求項３の発明は、請求項２に記載の無線式調光制御システムにおいて、前記信号発生部は、前記第２操作が行われた後、再度前記第１操作が行われるまでの時間に応じて、前記第２所定時間を可変とすることを特徴とする。
【００１０】
請求項４の発明は、請求項２に記載の無線式調光制御システムにおいて、前記第１操作されてからの第１操作の継続時間が第２所定時間よりも短い場合、前記信号発生部は、前記第１調光信号以外の信号を発生することを特徴とする。
【００１１】
請求項５の発明は、請求項１乃至４のいずれか１項に記載の無線式調光制御システムにおいて、前記第１操作は、単一の所定のスイッチをオンさせる操作であり、前記第２操作は、前記スイッチをオフさせる操作であることを特徴とする。
【００１２】
請求項６の発明は、請求項１乃至４のいずれか１項に記載の無線式調光制御システムにおいて、前記第１操作は、第１操作部材の操作であり、前記第２操作は、前記第１操作部材とは異なる第２操作部材の操作であることを特徴とする。
【発明の効果】
【００１３】
請求項１の発明によれば、ユーザが継続してあるいは繰り返し第１操作を行ったとしても、調光制御を開始するための第１調光信号は、１回だけ第１所定時間だけしか送信されず、また調光制御を終了する第２調光信号も、１回だけ第１所定時間だけしか送信されない。すなわち、１回の調光制御における合計した信号送信時間は第１所定時間の２倍にしか過ぎず、操作ボタンなどが押されている間、連続的に又は一定間隔で所定の信号を出力し続ける従来の無線式調光制御システムと比較して、信号の送信時間が短く、遠隔操作装置の電力消費を低減し、電池寿命を延ばすことが可能である。
【００１４】
調光信号の送受信に、例えば特定小電力無線通信方式の規格（ＳＴＤ−Ｔ６７）による電波通信を用いた場合、この無線式調光制御システムの遠隔操作装置が第２調光信号の送信を完了した後、一定の送信禁止時間（例えば２秒間）は新たな信号の送信ができない。あるいは、他の遠隔操作装置が信号の送受信を行っている場合、所定の送信可能時間（例えば５秒）が終了するまで、この無線式調光制御システムの遠隔操作装置は調光信号を送信することができない。そのため、その間にユーザにより操作部が操作され、信号発生部が第１調光信号を発生したとしても、送信部によって送信することはできず、当該第１調光信号は失報する。しかしながら、請求項２の発明によれば、信号発生部は、第１操作されてからの第１操作の継続時間が第２所定時間を経過した時点で第１操作が行われたと判断するので、他の遠隔操作装置が信号の送受信を終了した後、第１調光信号の送信を行うことができる。
【００１５】
請求項３の発明によれば、第２操作が行われた後、再度第１操作が行われるまでの時間が上記送信禁止時間よりも短い場合、その分だけ第２所定時間を短くすることができる。
【００１６】
請求項４の発明によれば、第１操作されてからの第１操作の継続時間が第２所定時間よりも短い場合、信号発生部は第１調光信号と第２調光信号を同時に送信することになり、事実上調光制御は行われない。従って、操作部の第１操作が行われるスイッチを調光制御以外の操作に割り当てることができ、信号発生部は、その調光制御以外の操作に応じた信号を発生させることができる。
【００１７】
請求項５の発明によれば、例えば調光レベルを高くする場合、操作部として調光アップボタン（例えば、△ボタン）を用い、第１操作として調光アップボタンを指で連続的に押し続ける操作とし、第２操作として調光アップボタン指を離す操作とすることができる。また、例えば調光レベルを低くする場合、操作部として調光ダウンボタン（例えば、▽ボタン）を用い、同様の操作とすることができる。それによって、従来の遠隔操作装置の操作部と同じボタン配置のまま、ボタン数を増やすことなく、上記無線式調光制御システムを実現することができる。
【００１８】
請求項６の発明によれば、第１操作部材として調光アップボタン（例えば、△ボタン）又は調光ダウンボタン（例えば、▽ボタン）を用い、第２操作部材として調光ダウンボタン又は調光アップボタン、あるいは点灯ボタン（例えば、◎ボタン）又は消灯ボタン（例えば、□ボタン）のいずれかを用いることにより、従来の遠隔操作装置の操作部と同じボタン配置のまま、ボタン数を増やすことなく、上記無線式調光制御システムを実現することができる。この場合、第１操作として、必ずしも第１操作部材を操作し続ける必要はなく、第１調光信号が送信された後は、第１操作を終了してもよい。その場合、ユーザは第２操作を行う前に再度第１操作を行う、すなわち調光アップボタンなどを何回も押すこともあり得るが、信号発生部は第２操作が行われる前の２回目以降の第１操作を無視すればよい。
【発明を実施するための最良の形態】
【００１９】
本発明の一実施形態に係る無線式調光制御システムについて、図面を参照しつつ説明する。図１に示すように、本実施形態に係る無線式調光制御システム１は、ユーザによって操作される遠隔操作装置１０と、遠隔操作装置１０から送信される信号を受信して、受信した信号の示す内容に応じて照明装置３０を調光制御する（照明のオン／オフを含む）調光制御装置２０で構成されている。調光制御装置２０は、照明装置３０の制御回路（例えばインバータ回路）と共に一体的に構成されていてもよいし、照明装置３０とは独立して構成され、複数の照明装置３０を同時に調光制御するものであってもよい。遠隔操作装置１０は、従来から用いられている赤外線を信号の送受信に用いるものであってもよいし、特定小電力無線通信方式の規格（ＳＴＤ−Ｔ６７）による電波通信を用いたものであってもよい。
【００２０】
遠隔操作装置１０は、ユーザにより操作され、照明装置の点灯及び消灯を制御する点灯ボタン（例えば、◎ボタン）及び消灯ボタン（例えば、□ボタン）、調光レベルを高くするための調光アップボタン（例えば、△ボタン）及び調光レベルを低くするための調光ダウンボタン（例えば、▽ボタン）などの複数のスイッチで構成された操作部１１と、操作部１１が操作されたときに、所定の調光信号を発生させるＣＰＵ、ＲＯＭ、ＲＡＭなどで構成された信号発生部１２と、所定の調光信号を変調して送信する赤外線ＬＥＤなどの発光素子又は所定の周波数の電波を発振する発振回路などで構成された送信部１３などを備えている。なお、遠隔操作装置１０は、必ずしもリモコン装置のようにユーザが手持ちで操作できるものに限られず、壁面に設けられた操作パネルなどであってもよい。
【００２１】
調光制御装置２０は、送信部１３から送信された所定の調光信号を受信する受光素子又はアンテナ及び復調機などで構成された受信部２１と、受信した調光信号に応じて調光制御を行うＣＰＵ、ＲＯＭ、ＲＡＭなどで構成された調光制御部２２と、ユーザにより操作され、遠隔操作装置１０を介さずに直接調光制御するための操作部２３などを備えている。なお、照明装置３０は、必ずしもこの無線式調光制御システムに含まれている必要はない。
【００２２】
図２は、無線式調光制御システム１が複数の遠隔操作装置１０及び複数の調光制御装置２０で構成された例を示す。各調光制御装置２０には、それぞれ複数の照明装置３０を接続することが可能である。各調光制御装置２０及び照明装置３０に識別番号を設定し、遠隔操作装置１０から送信される調光信号に識別番号を付与することにより、各遠隔操作装置１０から、任意の調光制御装置２０に接続された全ての照明装置３０又は任意の照明装置３０を特定して、調光制御することが可能である。
【００２３】
図３は、本実施形態に係る無線式調光制御システム１における調光制御動作の第１例を示すタイムチャートである。基本的に、この無線式調光制御システム１では、調光制御装置２０は、遠隔操作装置１０から第１調光信号Ｓ１を受信すると、照明装置３０の調光レベルを連続的に高く又は低くするように調光制御を開始し、第２調光信号Ｓ２を受信したときに調光制御を終了するように構成されている。
【００２４】
遠隔操作装置１０の信号発生部１２は、ユーザが、例えば操作部１１の調光アップボタンを操作したとき（第１操作Ｍ１）に、調光レベルを高くするように調光制御すると判断し、調光レベルを現在のレベルよりも高くするという指示を含んだ調光制御を開始する第１調光信号Ｓ１を発生し、操作部１１の調光ダウンボタンが操作されたときに、調光レベルを低くするように調光制御すると判断し、調光レベルを現在のレベルよりも低くするという指示を含んだ調光制御を開始する第１調光信号Ｓ１を発生する。送信部１３は、信号発生部１２により第１調光信号Ｓ１が発生されると、第１所定時間Ｔ１（例えば数〜数十ミリ秒程度）だけ第１調光信号Ｓ１を変調して送信する。この場合、調光アップボタン又は調光ダウンボタンは、連続して押し続けられる必要はなく、第１調光信号Ｓ１が発生された後は、ユーザがボタンから指を離しても、調光制御に影響はない。逆に、第１調光信号Ｓ１が発生された後、第２調光信号Ｓ２が発生されるまでの間、ユーザが繰り返し調光アップボタン又は調光ダウンボタンを操作したとしても、その操作は無視される。
【００２５】
遠隔操作装置１０の送信部１３から第１調光信号Ｓ１が送信され、調光制御装置２０の受信部２１が第１調光信号Ｓ１を受信すると、調光制御部２２は、照明装置３０の調光レベルを連続的に高く又は低くするように調光制御を開始する。照明装置３０の調光レベルに達すると、ユーザは、先に操作したボタン（調光アップボタン）とは異なる他のボタン、例えば調光ダウンボタン、点灯ボタン又は消灯ボタンを操作すること（第２操作Ｍ２）により、調光制御を停止させることができる。遠隔操作装置１０の信号発生部１２は、ユーザにより操作部１１が第２操作Ｍ２をされたときに、調光制御を終了する第２調光信号Ｓ２を発生し、送信部１３は、第１所定時間だけ第２調光信号Ｓ２を変調して送信する。調光制御装置２０の調光制御部２２は、受信部２１が第２調光信号Ｓ２を受信すると、調光制御を停止して、その時点における調光レベルを維持する。なお、第２調光信号Ｓ２を受信する前に、照明装置３０の調光レベルが最大レベル又は最小レベルに到達したときは、その時点で調光制御を停止することはいうまでもない。
【００２６】
このような構成によれば、調光制御に際して、ユーザが継続してあるいは繰り返し調光アップボタン又は調光ダウンボタンを操作した（第１操作Ｍ１）としても、調光制御を開始するための第１調光信号Ｓ１は、１回だけ第１所定時間Ｔ１だけしか送信されず、また調光制御を終了する第２調光信号Ｓ２も、１回だけ第１所定時間Ｔ１だけしか送信されない。すなわち、１回の調光制御における合計した信号送信時間は第１所定時間Ｔ１の２倍（２Ｔ１）にしか過ぎず、操作ボタンなどが押されている間、連続的に又は一定間隔で所定の信号を出力し続ける従来の無線式調光制御システムと比較して、信号の送信時間が短く、遠隔操作装置１０の電力消費を低減し、電池寿命を延ばすことが可能である。
【００２７】
なお、特定小電力無線通信方式の規格（ＳＴＤ−Ｔ６７）による電波通信を用いる場合、５秒間送信の後２秒間の送信禁止時間が定められているので、第１調光信号Ｓ１を送信してから第２調光信号Ｓ２を送信するまでの時間（制御時間）Ｔ２が２秒以上である場合、第１調光信号Ｓ１又は第２調光信号Ｓ２の送信可能時間として最大５秒間利用することができる。その場合、第１調光信号Ｓ１及び第２調光信号Ｓ２に様々な情報（上記識別番号など）を添付して送信することができる。一方、第１調光信号Ｓ１を送信してから第２調光信号Ｓ２を送信するまでの時間（制御時間）Ｔ２が２秒未満である場合、第１調光信号Ｓ１を送信開始してから第２調光信号Ｓ２の送信完了までの時間の合計（Ｔ１＋Ｔ２＋Ｔ１）が５秒以下でなければならない。その場合でも、第１調光信号Ｓ１又は第２調光信号Ｓ２の送信可能時間として最大１．５秒間利用することができる。
【００２８】
次に、本実施形態に係る無線式調光制御システム１の調光制御動作の第２例について説明する。遠隔操作装置１０の信号発生部１２は、ユーザが、例えば操作部１１の調光アップボタンを操作したとき（第１操作Ｍ１）に、調光制御を開始する第１調光信号Ｓ１を発生し、ユーザが操作部１１の調光アップボタンから指を離したとき（第２操作Ｍ２）に、調光制御を終了する第２調光信号Ｓ２を発生するように構成してもよい（後述する第５例のタイムチャートを示す図５参照）。調光レベルを低くする場合は、調光ダウンボタンを同様に操作する。この第２例の場合、調光制御の際、ユーザは調光アップボタン又は調光ダウンボタンを押し続けなければならないが、調光制御終了のために他のボタンを押し直す必要がなくなり、操作が簡単になる。
【００２９】
あるいは、第３例として、調光アップボタン及び調光ダウンボタンとして、再クリックのオンとオフが切り替わる、いわゆるプッシュオン／プッシュオフを用いてもよい。その場合、調光アップボタン又は調光ダウンボタンのオン操作が第１操作Ｍ１、オフ操作が第２操作Ｍ２に相当する。第３例によれば、第１例と比較して、ユーザは操作ボタンの指の掛け替えを行得必要がなくなり、調光制御を速やかに停止させることができる。また、第２例と比較してユーザは調光アップボタン又は調光ダウンボタンを押し続ける煩わしさから解放されることができる。
【００３０】
さらに、第１調光信号Ｓ１及び／又は第２調光信号Ｓ２が受信部２１によって受信されなかった場合（すなわち失報した場合）、ユーザの意図通りに調光制御が開始又は終了されないことが起こりうる。この現象は、調光信号の送受信に赤外線を用いた場合に顕著である。特に、上記では、第１操作Ｍ１として調光アップボタン又は調光ダウンボタンを２度以上操作しても、２回目以降の操作は無視されるため、他のボタンを操作してリセットしなければならない煩わしさが存在する。そのため、図４に示す第４例のように、第１調光信号Ｓ１及び第２調光信号Ｓ２を、それぞれ複数回送信するように構成してもよい。それにより、確実にユーザの意図通りに調光制御を開始及び終了させることができる。
【００３１】
一方、調光信号の送受信に、例えば特定小電力無線通信方式の規格（ＳＴＤ−Ｔ６７）による電波通信を用いた場合、この無線式調光制御システム１の遠隔操作装置１０が第２調光信号Ｓ２の送信を完了した後、一定の送信禁止時間（例えば２秒間）は新たな信号の送信ができない。あるいは、他の遠隔操作装置（図２の１０Ａ〜１０Ｃなど）が信号の送受信を行っている場合、所定の送信可能時間（例えば５秒）が終了するまで、この無線式調光制御システム１の遠隔操作装置１０は調光信号を送信することができない。そのため、その間にユーザにより操作部１１が操作され、信号発生部１２が第１調光信号Ｓ１を発生したとしても、送信部１３によって送信することはできず、当該第１調光信号Ｓ１は失報する。そこで、図５に示す第５例のように、信号発生部１２は、第１操作Ｍ１からの第１操作Ｍ１の継続時間が第２所定時間Ｔ３を経過した時点で第１操作Ｍ１が行われたと判断するように構成してもよい。それによって、他の遠隔操作装置が信号の送受信を終了した後、第１調光信号Ｓ１の送信を行うことができ、第１調光信号の失報を防止することができる。なお、この第５例の操作部１１の第１操作Ｍ１としては、第２例又は第３例のように調光アップボタン又は調光ダウンボタンをオン状態に維持させることが好ましい。
【００３２】
一度調光制御を行った後、照明装置の調光レベルがユーザの意図したレベルに達していない場合、又はユーザの意図したレベルを超えて調光された場合、短時間の内に再度調光制御が行われる場合があり得る。例えば特定小電力無線通信方式の規格（ＳＴＤ−Ｔ６７）による電波通信を用いた場合、第２調光信号Ｓ２の送信完了後、所定の送信禁止期間（例えば２秒間）を経過すれば、新たに信号の送信が可能となる。そこで、図６に示す第６例のように、第２操作Ｍ２が行われた後、所定時間内に第１操作Ｍ１が行われる場合、第２調光信号Ｓ２の送信完了から新たな第１操作Ｍ１’までの時間ΔＴと上記第２所定時間Ｔ３’の合計が２秒以上であれば、送信部１３は新たな第１調光信号Ｓ１’を送信することができる。その結果、第２操作Ｍ２が行われた後、再度第１操作Ｍ１’が行われるまでの時間が上記送信禁止時間よりも短い場合、その分だけ第２所定時間Ｔ３’を短くすることができる。なお、図中ダッシュ付の符合は２度目の操作を意味するものとする。
【００３３】
また、図７に示すように、調光アップボタン又は調光ダウンボタンのオン状態の継続時間Ｔ５が第２所定時間Ｔ３よりも短い第３所定時間Ｔ４（Ｔ４＜Ｔ３）よりもさらに短い場合、事実上調光制御は行われない。図７に示す第７例では、遠隔操作装置１０の操作部１１の第１操作Ｍ１が行われるスイッチ、例えば調光アップボタン及び調光ダウンボタンを、それぞれ調光制御以外の操作、例えば点灯スイッチ及び消灯スイッチに割り当てることができ、信号発生部１２は、その調光制御以外の操作（例えば消灯）Ｍ３に応じた信号Ｓ３を発生させることができる。その結果、操作ボタン数の削減による遠隔操作装置１０の小型化及びコストダウンが可能になる。
【００３４】
なお、上記実施形態の説明において、操作部１１の操作部材としてボタンスイッチを例示したが、これに限定されるものではなく、スライドスイッチやロータリスイッチなどを用いることも可能である。また、スライドスイッチやロータリスイッチは、原点（スイッチオフ位置）がスライド又は回転可能範囲の一方の端に位置するものだけでなく、原点がスライド又は回転可能範囲の中央に位置し、原点に対して両方向に操作可能なものであってもよい。
【図面の簡単な説明】
【００３５】
【図１】本発明の一実施形態に係る無線式調光制御システムの構成を示すブロック図。
【図２】上記無線式調光制御システムの他の構成を示すブロック図。
【図３】上記無線式調光制御システムにおける調光制御動作の第１例を示すタイムチャート。
【図４】上記無線式調光制御システムにおける調光制御動作の第４例を示すタイムチャート。
【図５】上記無線式調光制御システムにおける調光制御動作の第５例を示すタイムチャート。
【図６】上記無線式調光制御システムにおける調光制御動作の第６例を示すタイムチャート。
【図７】上記無線式調光制御システムにおける調光制御動作の第７例を示すタイムチャート。
【図８】従来の無線式調光制御システムにおける調光制御動作を示すタイムチャート。
【符号の説明】
【００３６】
１  無線式調光制御システム
１０  遠隔操作装置
１１  操作部
１２  信号発生部
１３  送信部
２０  調光制御装置
２１  受信部
２２  調光制御部
３０  照明装置
Ｓ１  第１調光信号
Ｓ２  第２調光信号
Ｍ１  第１操作
Ｍ２  第２操作
Ｔ１  第１所定時間
Ｔ２  制御時間
Ｔ３  第２所定時間
Ｔ４  第３所定時間
【図１】
2009238530.tif 000003
【図２】
2009238530.tif 000004
【図３】
2009238530.tif 000005
【図４】
2009238530.tif 000006
【図５】
2009238530.tif 000007
【図６】
2009238530.tif 000008
【図７】
2009238530.tif 000009
【図８】
2009238530.tif 000010